(57)【特許請求の範囲】
【請求項１】
複数の機器と、
端子箱と、
前記機器と前記端子箱を接続し、屈曲可能なフレキシブル配線保護管の内部に配線ケーブルを収納して構成されるケーブル配管とを備え、
前記ケーブル配管は少なくとも一つの分岐部を備えており、前記フレキシブル配線保護管は前記分岐部のみで接続され、
前記分岐部は、２つの入口側の接続部と１つの出口側の接続部とを含む少なくとも３つの接続部を有しており、前記入口側の接続部に接続されたケーブル配管からの配線ケーブルをまとめて前記出口側の接続部から次のケーブル配管に導出させる機能を備え、
前記ケーブル配管は、複数の前記機器から前記端子箱に至るまでに、全体的に下方向を向いた状態で前記分岐部において一本のケーブル配管に集合して前記端子箱の下面部に接続しており、
前記一本のケーブル配管は前記端子箱に接続する前の位置においてＵ字形状に屈曲する屈曲部を備え、
前記分岐部と、その分岐部でまとめられる前記各ケーブル配管の他端側に夫々接続されている複数の前記機器との高さ方向の位置関係は、当該分岐部の方が当該各機器よりも下位にある静止誘導機器。
【請求項２】
前記ケーブル配管は、少なくとも前記端子箱近傍では前記静止誘導機器本体から離間している請求項１に記載の静止誘導機器。
【発明の詳細な説明】
【技術分野】
【０００１】
本発明の実施形態は、静止誘導機器に関する。
【背景技術】
【０００２】
静止誘導機器として、例えば変圧器の端子箱と各種センサ等の電子機器とを接続する配線ケーブルは、保護管に収納され１本ずつ配管されており、端子箱には多数の配管が接続されていた。しかし、変圧器は戸外に設置されるため、雨にあたる。そのため、端子箱に多くの配管が接続されると、それだけ雨水の侵入経路が増加するため、端子箱へ雨水が侵入する場合があった。
【先行技術文献】
【特許文献】
【０００３】
【特許文献１】特開平９−１７６４４号公報
【発明の概要】
【発明が解決しようとする課題】
【０００４】
そこで、本発明の実施形態は、端子箱に雨水が浸入し難い静止誘導機器を提供することを目的とする。
【課題を解決するための手段】
【０００５】
本実施形態に係る静止誘導機器は、複数の機器と端子箱と、前記機器と前記端子箱を接続し、屈曲可能なフレキシブル配線保護管の内部に配線ケーブルを収納して構成されるケーブル配管とを備える。前記ケーブル配管は少なくとも一つの分岐部を備えており、前記フレキシブル配線保護管は前記分岐部のみで接続されている。前記分岐部は、２つの入口側の接続部と１つの出口側の接続部とを含む少なくとも３つの接続部を有しており、前記入口側の接続部に接続されたケーブル配管からの配線ケーブルをまとめて前記出口側の接続部から次のケーブル配管に導出させる機能を備える。前記ケーブル配管は、複数の前記機器から前記端子箱に至るまでに、全体的に下方向を向いた状態で前記分岐部において一本のケーブル配管に集合しており、前記一本のケーブル配管が前記端子箱の下面部に接続している。前記一本のケーブル配管は前記端子箱に接続する前の位置においてＵ字形状に屈曲する屈曲部を備える。前記分岐部と、その分岐部でまとめられる前記各ケーブル配管の他端側に夫々接続されている複数の前記機器との高さ方向の位置関係は、当該分岐部の方が当該各機器よりも下位にある。
【図面の簡単な説明】
【０００６】
【図１】実施形態に係る静止誘導機器の概略構成例を示す図
【図２】分岐部を拡大して示す図
【図３】雨水の流れを模式的に示す図
【図４】集合部品を模式的に示す図
【発明を実施するための形態】
【０００７】
以下、実施形態について図面に基づいて説明する。実施形態の説明において実質的に同一の構成部位には同一の符号を付し、説明を省略する。
図１は、実施形態に係る静止誘導機器として変圧器１００を例示し、その概略構成例を示す図である。図１に示すように、変圧器１００は変圧器本体１０及び放熱器１２及び１４を備えている。変圧器本体１０の中には、図示しない巻線とその中心に鉄心が配置されており、絶縁油や窒素等が封入されている。
【０００８】
変圧器１００は各種機器１６、１８、２０、２２、２４を備えている。機器１６、１８、２０、２２、２４は、変圧器本体１０及び放熱器１２の表面に配置されている。機器１６、１８、２０、２２、２４は、例えば、温度計、油面計、圧力センサ等の各種センサ類である。
【０００９】
変圧器１００は端子箱４０を備えている。端子箱４０は例えば放熱器１２表面に配置されている。
機器１６、１８、２０、２２、２４と端子箱４０は、ケーブル配管３０により相互に接続されている。ケーブル配管３０は配線ケーブル２８及び保護管２９により構成されている。配線ケーブル２８は、保護管２９に挿入されることにより周囲を被覆されて収納され、保護されている。保護管２９としては、頑丈で柔軟であり屈曲性及び耐水性に優れた配管としてのフレキシブル配線保護管が用いられる。このフレキシブル配線保護管は非常に柔軟な素材であるポリアミド等で構成されているため、自由に屈曲可能であり、また、任意の箇所で簡易な道具を用いて容易に切断することができる。
【００１０】
ケーブル配管３０は分岐部３２を備えている。図２に、分岐部３２を拡大した図を示す。以下の説明において、個々のケーブル配管３０又は分岐部３２を指し示す場合は、ケーブル配管３０ａ、３０ｂ、３０ｃ、分岐部３２ａ、３２ｂ、３２ｃにように表記し、これらを総称して指し示す場合はケーブル配管３０、分岐部３２のように表記する。
【００１１】
内部の配線ケーブル２８は端子箱４０に対して遠方から近づくにつれて、分岐部３２において一つにまとめられていく。例えば、機器１６に接続されるケーブル配管３０ａと、機器１８に接続されるケーブル配管３０ｂは、分岐部３２ａにおいて集合して、一本のケーブル配管３０ｃにまとめられる。このように、端子箱４０に近づくにつれて、複数のケーブル配管３０が複数の分岐部３２においてまとめられて、最終的に一本のケーブル配管３０ｉに集合して端子箱４０に接続される。すなわち端子箱４０には一本のケーブル配管３０が接続される。
【００１２】
ケーブル配管３０は、端子箱４０に接続する手前で、以下のような形状を備えている。すなわち、機器１６、１８、２０、２２、２４から延伸するケーブル配管３０ａ〜３０ｈは、複数の分岐部３２ａ〜３２ｄで集合し、最後の分岐部３２ｄで一本のケーブル配管３０ｉに集合する。端子箱４０に至る方向において、ケーブル配管３０ｉは分岐部３２ｄにおいて下方向を指向している。その後、ケーブル配管３０ｉは屈曲部４２において屈曲し、指向する向きを約１８０度上方向に変更され、端子箱４０に接続される。ケーブル配管３０は、上方向に指向した状態で端子箱４０の下面部に接続されている。端子箱４０近傍において、ケーブル配管３０は変圧器１００本体から離間している。
【００１３】
次に、上記構成の変圧器１００の作用について説明する。
図３はケーブル配管３０を伝う雨水の流れを模式的に示す図である。矢印は雨水が流れる様子を模式的に示している。変圧器１００に雨が当たると、雨水はケーブル配管３０を伝って下方向に流れる。図において、ケーブル配管３０ａとケーブル配管３０ｂを伝う雨水は分岐部３２ａにおいてケーブル配管３０ｃに集合する。ケーブル配管３０ｃとケーブル配管３０ｄを伝う雨水は分岐部３２ｂにおいてケーブル配管３０ｅに集合する。同様にして雨水は分岐部３２ｃ、３２ｄで集合し最終的には一本のケーブル配管３０ｉに集合する。
【００１４】
ケーブル配管３０は屈曲部４２においてＵ字形を備えた形状を備え、重力方向を基準として下方向から上方向に向きを変えている。従って、雨水は、この屈曲部４２において下に落下するため、屈曲部４２を超えてケーブル配管３０を上方向に伝うことがなく、端子箱４０に至ることがない。そのため端子箱４０内への雨水の浸入を抑制できる。
【００１５】
実施形態に係る変圧器１００の効果をまとめると以下のようになる。
ケーブル配管３０は分岐部３２を有している。ケーブル配管３０は分岐部３２で集合し、最終的には一本のケーブル配管３０が端子箱４０に接続している。この構成により、複数のケーブル配管３０が端子箱４０に接続する場合に比較し、端子箱４０への雨水の侵入経路が減少している。そのため、端子箱４０への雨水の浸入を抑制することができる。また、ケーブル配管３０の部品点数が少なくなり、構造が簡素化されるため、ケーブル配管３０の配管施工が容易となる。
【００１６】
ケーブル配管３０は、端子箱４０に接続する直前の位置において、重力方向を基準として下方向から上方向に方向を変えるような形状、すなわちＵ字形状の屈曲部４２を有する。端子箱４０近傍において、ケーブル配管３０は変圧器１００本体から離間している。これによれば、ケーブル配管３０を伝う雨水は、屈曲部４２で下に落下するため、端子箱４０への雨水の浸入を抑制することができる。
【００１７】
ケーブル配管３０の保護管２９としてはフレキシブル配線保護管が用いられる。このフレキシブル配線保護管は非常に柔軟な素材であるポリアミドで構成されているため、自由に屈曲可能であり、また、任意の箇所で簡易な道具を用いて容易に切断することができる。従って、ケーブル配管３０の設置工事において、配管施工の自由度が増すため設置が容易となり、また、ケーブル配管３０のメンテナンスが容易となる。
【００１８】
次に、配線ケーブル２８及び保護管２９を備えるケーブル配管３０を、あらかじめ分岐部３２に接続して組み立てた集合部品５０について説明する。図４は、集合部品５０を模式的に示す図である。ケーブル配管３０の内部には、上記実施形態で説明したのと同様に、配線ケーブル２８が保護管２９覆われて収納されている。
【００１９】
分岐部３２は少なくとも３つの接続部３３ａ、３３ｂ、３３ｃを有しており、この接続部３３ａ、３３ｂ、３３ｃにおいてケーブル配管３０が分岐部３２に接続されている。ケーブル配管３０ａ及び３０ｂ内部の配線ケーブル２８は、接続部３３ａ及び３３ｂから分岐部３２内に挿入され、接続部３３ｃに集合し、ケーブル配管３０ｃに導かれている。
集合部品５０を用いて変圧器１００を構成すれば、ケーブル配管３０設置のための部品点数がさらに少なくなるため、ケーブル配管３０の配管施工がより容易となる。
【００２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２１】
例えば、上記実施形態の説明において、実施形態に係る静止誘導機器として、変圧器１００を例示して説明したが、これに限定する意図はなく、その他の静止誘導機器、例えばリアクトルに適用しても良い。
【符号の説明】
【００２２】
図面中、１００は変圧器、１０は変圧器本体、１２、１４は放熱器、１６、１８、２０、２２、２４は機器、２８は配線ケーブル、２９は保護管、３０、３０ａ、３０ｂ、３０ｃ、３０ｄ、３０ｅ、３０ｆ、３０ｇ、３０ｈ、３０ｉはケーブル配管、３２ａ、３２ｂ、３２ｃ、３２ｄは分岐部、４０は端子箱、４２は屈曲部、を示す。
【図１】
0006788356.tif 000002
【図２】
0006788356.tif 000003
【図３】
0006788356.tif 000004
【図４】
0006788356.tif 000005